(57)【要約】【課題】薄型コンパクト化が可能な揺動型の電磁アクチュエータを提供する。【解決手段】２枚のフィルタ２１、２２を開口部１に対して抜き差しする電磁アクチュエータＭが、ハウジング１０と、ハウジングに揺動自在に支持された出力レバー３０と、出力レバーの揺動軸線と交差する回動軸線Ｌ２の回りに回動自在な可動子５１を有し、空芯コイル５２への通電制御により可動子を回動させるアクチュエータ本体５０と、可動子と出力レバーの間に設けられて、可動子の回動変位を出力レバーの揺動変位に変換して伝達する係合機構４０と、を具備する。フィルタ枠２０は、出力レバーの揺動平面と平行に直線スライド可能に設けられ、フィルタ枠２０の長孔２４に、出力レバーの駆動ピンが係合されている。【選択図】図１
0003122024.tif 000002
【実用新案登録請求の範囲】
【請求項１】
ハウジングと、
該ハウジングに支点部が揺動自在に支持された出力レバーと、
該出力レバーの揺動軸線と交差する回動軸線の回りに回動自在とされた可動子を有し、該可動子に対応して設けられたコイルへの通電制御により可動子を回動させるアクチュエータ本体と、
前記可動子と出力レバーの間に設けられ、可動子の回動変位を出力レバーの揺動変位に変換して伝達する動作方向変換手段と、
を具備することを特徴とする揺動型の電磁アクチュエータ。
【請求項２】
請求項１に記載の揺動型の電磁アクチュエータであって、
前記出力レバーの支点部が出力レバーの基端部に配されると共に、出力レバーの先端部に被駆動側へ出力を取り出す出力取出部が設けられ、出力レバーに隣接する位置に、該出力レバーの揺動平面と前記回動軸線を平行にして前記可動子が配置され、前記出力レバーの支点部と出力取付部の間に、前記動作方向変換手段として可動子と出力レバーを係合させる係合機構が配されていることを特徴とする揺動型の電磁アクチュエータ。
【請求項３】
請求項１または２に記載の揺動型の電磁アクチュエータであって、
前記ハウジングに、前記コイルへの非通電時に前記可動子に設けられた永久磁石を一定の回動位置に吸着する吸着片が配設されていることを特徴とする揺動型の電磁アクチュエータ。
【請求項４】
請求項３に記載の揺動型の電磁アクチュエータであって、
前記吸着片が、前記永久磁石を一方の回動端と他方の回動端に選択的に位置決めできるよう設けられており、前記コイルへの通電を切断した時の回動位置に近い側の回動端に前記永久磁石が吸着されることを特徴とする揺動型の電磁アクチュエータ。
【請求項５】
露光用の開口部を開閉したり、前記開口部の開度を絞り調節したり、あるいは、前記開口部にフィルタ作用を持たせたりする可動部材と、該可動部材を駆動する駆動源とを備えたカメラ用の露光条件切替装置において、
前記駆動源として、請求項１〜４のいずれかに記載の揺動型の電磁アクチュエータが使用されていることを特徴とするカメラ用の露光条件切替装置。
【請求項６】
請求項５に記載のカメラ用の露光条件切替装置であって、
前記可動部材が、前記出力レバーの揺動平面と平行に直線スライド可能に前記ハウジング上に設けられると共に、そのスライド方向が、前記出力レバーの支持部と出力取付部とを結ぶ直線と交差する方向に設定されており、前記可動部材に形成された長孔に、前記出力レバーの出力取付部として設けられた駆動ピンが係合されていることを特徴とするカメラ用の露光条件切替装置。
【請求項７】
請求項５または６に記載のカメラ用の露光条件切替装置であって、
前記可動部材に少なくとも１枚のフィルタが設けられており、前記出力レバーの揺動により、前記露光用の開口部に対して前記フィルタが抜き差しされることを特徴とするカメラ用の露光条件切替装置。
【考案の詳細な説明】
【技術分野】
【０００１】
本考案は、揺動型の電磁アクチュエータ、及び、その電磁アクチュエータを駆動源として備えたカメラ用の露光条件切替装置（例えば、シャッタ装置、絞り装置、フィルタ切替装置など）に関する。
【背景技術】
【０００２】
ノートパソコンや携帯電話などに小型のカメラ（スチルカメラやビデオカメラ）が搭載されるようになってきており、それらのカメラに装備されるシャッタ装置や絞り装置あるいはフィルタ切替装置等の露光条件切替装置の駆動源として、多くの場合、揺動型の電磁アクチュエータが使用されている。
【０００３】
この種の用途に用いられる電磁アクチュエータとして、従来では、所定の角度範囲を回動するロータ形式のものが知られている（例えば、特許文献１、特許文献２参照）。このタイプのアクチュエータは、円柱状の永久磁石を有し且つ回転中心から偏倚した位置に駆動ピンを有するロータと、ロータを回動自在に支持する枠部材と、枠部材の外側に巻回された励磁用のコイルと、枠部材の外周に外嵌されたヨーク等によって構成されている。
【０００４】
この場合のコイルは、ロータの回転軸を包囲するように巻回されているのが普通であり、このことから、ロータの回転軸方向における寸法が大きくなり、その結果、絞り装置等の露光条件切替装置の厚さが厚くなってしまうという問題があった。絞り装置等の露光条件切替装置の厚みが大きくなると、それを搭載するカメラの薄型化及び小型化にも影響が出てくる。
【０００５】
例えば、回路基板上にＣＣＤ等の撮像素子を実装し、その上側に露光条件切替装置を取り付ける場合、露光条件切替装置のアクチュエータ部分の高さ（厚み）が大きくなると、回路基板全体の高さが大きくなり、ノートパソコンや携帯電話の小型化の障害となる。
【０００６】
そこで、薄型化を図れる電磁アクチュエータが開発され、特許文献３に開示されている。
特許文献３に記載のアクチュエータは、永久磁石を自由端側の途中に搭載し更にその自由端側の先端部に駆動ピンを有する可動子と、ボビンに巻かれた励磁用のコイル及び磁路を形成するヨークを含む固定子とを備え、コイルへの通電により可動子を揺動させて、駆動ピンにより駆動力を取り出す形式のアクチュエータであって、可動子の揺動支点を、コイルにより囲繞される領域の外側に配置したものである。
【０００７】
この構成によれば、可動子が、コイルに囲繞される領域の外側にある揺動支点を中心にして揺動するので、可動子のコイルに囲繞される領域を薄く扁平に形成することができ、コイルも薄く幅広く巻回することができる。従って、ロータの周りにコイルを巻回するものに比べて、揺動支点の軸方向に関するアクチュエータの薄型化が行なえる。
【０００８】
【特許文献１】特開平１０−２５４０２２号公報
【特許文献２】特開平１１−１８３９６２号公報
【特許文献３】特開２００２−１６５４３２号公報
【考案の開示】
【考案が解決しようとする課題】
【０００９】
ところで、特許文献１、２に記載の電磁アクチュエータは、いずれも、揺動出力を外部へ取り出す駆動ピンの揺動面と直交する方向にロータの回動軸線が向いているので、駆動ピンの揺動面と直交する方向の寸法が大きくなってしまうという問題がある。つまり、ロータの回動軸の向きが、駆動ピンの揺動面と直交する関係にあるので、どうしても、軸の取り合いの関係などにより、駆動ピンの揺動面と直交する方向の寸法が大きくなってしまうのである。この点は、特許文献３に記載の技術においても同様であり、可動子の回動軸の向きが駆動ピンの揺動面と直交する関係にあることから、駆動ピンの揺動面と直交する方向の寸法の短縮には限界があった。
【００１０】
ここで、露光条件切替装置のシャッタ板や絞り羽根、あるいは、フィルタを取り付けた可動板のスライド方向は、通常、駆動ピンの揺動面と平行に設定されているので、駆動ピンの揺動面と直交する方向のアクチュエータ寸法が大きくなると、シャッタ板などのスライド方向と直交するカメラの光軸方向の寸法が大きくなってしまい、カメラの薄型化に困難が出てしまうという問題がある。
【００１１】
本考案は、上記事情を考慮し、薄型コンパクト化が可能な揺動型の電磁アクチュエータ、及び、その電磁アクチュエータを駆動源として備えたカメラ用の露光条件切替装置を提供することを目的とする。
【課題を解決するための手段】
【００１２】
請求項１の考案は、ハウジングと、該ハウジングに支点部が揺動自在に支持された出力レバーと、該出力レバーの揺動軸線と交差する回動軸線の回りに回動自在とされた可動子を有し、該可動子に対応して設けられたコイルへの通電制御により可動子を回動させるアクチュエータ本体と、前記可動子と出力レバーの間に設けられ、可動子の回動変位を出力レバーの揺動変位に変換して伝達する動作方向変換手段と、を具備することを特徴としている。
【００１３】
請求項２の考案は、請求項１に記載の揺動型の電磁アクチュエータであって、前記出力レバーの支点部が出力レバーの基端部に配されると共に、出力レバーの先端部に被駆動側へ出力を取り出す出力取出部が設けられ、出力レバーに隣接する位置に、該出力レバーの揺動平面と前記回動軸線を平行にして前記可動子が配置され、前記出力レバーの支点部と出力取付部の間に、前記動作方向変換手段として可動子と出力レバーを係合させる係合機構が配されていることを特徴としている。
【００１４】
請求項３の考案は、請求項１または２に記載の揺動型の電磁アクチュエータであって、前記ハウジングに、前記コイルへの非通電時に前記可動子に設けられた永久磁石を一定の回動位置に吸着する吸着片が配設されていることを特徴としている。
【００１５】
請求項４の考案は、請求項３に記載の揺動型の電磁アクチュエータであって、前記吸着片が、前記永久磁石を一方の回動端と他方の回動端に選択的に位置決めできるよう設けられており、前記コイルへの通電を切断した時の回動位置に近い側の回動端に前記永久磁石が吸着されることを特徴としている。
【００１６】
請求項５の考案は、露光用の開口部を開閉したり、前記開口部の開度を絞り調節したり、あるいは、前記開口部にフィルタ作用を持たせたりする可動部材と、該可動部材を駆動する駆動源とを備えたカメラ用の露光条件切替装置において、前記駆動源として、請求項１〜４のいずれかに記載の揺動型の電磁アクチュエータが使用されていることを特徴としている。
【００１７】
請求項６の考案は、請求項５に記載のカメラ用の露光条件切替装置であって、前記可動部材が、前記出力レバーの揺動平面と平行に直線スライド可能に前記ハウジング上に設けられると共に、そのスライド方向が、前記出力レバーの支持部と出力取付部とを結ぶ直線と交差する方向に設定されており、前記可動部材に形成された長孔に、前記出力レバーの出力取付部として設けられた駆動ピンが係合されていることを特徴としている。
【００１８】
請求項７の考案は、請求項５または６にに記載のカメラ用の露光条件切替装置であって、前記可動部材に少なくとも１枚のフィルタが設けられており、前記出力レバーの揺動により、前記露光用の開口部に対して前記フィルタが抜き差しされることを特徴としている。
【考案の効果】
【００１９】
請求項１の考案によれば、出力レバーの揺動軸線と可動子の回動軸線を交差する関係に設定しているので、つまり、可動子の軸の向きが出力レバーの揺動面と平行な方向に向いているので、出力レバーの揺動面と直交する方向の寸法を短縮することができる。従って、電磁アクチュエータの薄型コンパクト化が可能となり、カメラ用の露光条件切替装置の駆動源として使用した場合に、露光条件切替装置の高さ（厚さ）の低減が可能となる。
【００２０】
請求項２の考案によれば、出力レバーの支点部と出力取付部の間に、可動子の動作を出力レバーに伝達する動作方向変換手段を設けているので、可動子の変位を出力取付部から拡大して取り出すことができる。つまり、可動子の変位が小さくても、出力レバーの揺動変位を大きく取り出すことができる。従って、取り出せる揺動変位の割にアクチュエータ本体の小型化が図れる。また、動作方向変換手段を係合機構で構成しているので、構造の単純化が図れる。
【００２１】
請求項３の考案によれば、非通電時に吸着片によって永久磁石つまりは可動子を定位置に保持することができる。
【００２２】
請求項４の考案によれば、可動子を通電を切断したときの位置に保持することができる。
【００２３】
請求項５の考案によれば、薄型コンパクトなカメラ用の露光条件切替装置を提供することができる。
【００２４】
請求項６の考案によれば、可動部材を出力レバーの揺動平面と平行に直線スライド可能に設けているので、可動部材のスライド方向と直交する方向、つまりカメラの光軸方向の寸法の短縮を図ることができる。また、可動部材のスライド方向を、出力レバーの支持部と出力取付部とを結ぶ直線と交差する方向に設定し、可動部材に形成された長孔に出力レバーの駆動ピンを係合させているので、簡単な構造で可動部材のスライド動作を実現することができる。
【００２５】
請求項７の考案によれば、可動部材にフィルタを設けて、出力レバーの揺動により、露光用の開口部に対してフィルタを抜き差しするように構成しているので、薄型のフィルタ切替装置を実現することができる。
【考案を実施するための最良の形態】
【００２６】
以下、本考案の実施形態を図面を参照して説明する。
図１は本考案の揺動型の電磁アクチュエータを駆動源として組み込んだフィルタ切替装置（露光条件切替装置）の一方のフィルタ切り替え状態のときの構成図で、（ａ）は平面図、（ｂ）は側断面図、図２はフィルタの切り替え途中の中立状態のときの構成図で、（ａ）は平面図、（ｂ）は側断面図、図３は他方のフィルタ切り替え状態のときの構成図で、（ａ）は平面図、（ｂ）は側断面図である。図４は同フィルタ切替装置の部品である可動子の構成図で、（ａ）は平面図、（ｂ）は（ａ）のＩＶｂ−ＩＶｂ矢視断面図、（ｃ）は（ｂ）のＩＶｃ−ＩＶｃ矢視図、図５は同フィルタ切替装置の部品である出力レバーの構成図で、（ａ）は平面図、（ｂ）は側面図である。
【００２７】
このフィルタ切替装置は、図１に示すように、フィルタ取付用の基板部１０Ａを有するハウジング１０と、第１、第２の２枚の光学フィルタ２１、２２を並べて搭載し、ハウジング１０のフィルタ切替室１１内に前記基板部１０Ａの上面に沿って直線スライド自在に設けられた長方形状のフィルタ枠（可動部材）２０と、フィルタ枠２０をスライドさせて、使用すべきフィルタ２１、２２を切り替える揺動型の電磁アクチュエータＭと、フィルタ枠２０を内部にセットした上でフィルタ切替室１１の上面に被せられる図示しないカバーと、から構成されている。
【００２８】
電磁アクチュエータＭは、フィルタ枠２０を移動させるための駆動源として装備されており、ハウジング１０の側部に設けられた作動部室１４内に配設されている。作動部室１４の内底部には、箱形のアクチュエータ室１５が設けられており、そのアクチュエータ室１５内に、電磁アクチュエータＭの主要部であるアクチュエータ本体５０が収容されている。
【００２９】
ハウジング１０の基板部１０Ａには、図示しないカメラに対する露光用の開口部１が設けられており、開口部１の中心１Ａを通る基板部１０Ａに垂直な軸線Ｌ０がカメラ（撮像素子）の光軸に一致するように、ハウジング１０が、カメラを搭載した回路基板（図示略）上に取り付けられる。ハウジング１０には、回路基板にネジで取り付けるための取付部１９が設けられると共に、開口部１を囲むように基板部１０Ａの下側に遮光用の筒部１６が突設されている。
【００３０】
ハウジング１０のフィルタ切替室１１は、底の浅い平面視矩形で偏平な空間として構成されており、その中にフィルタ枠２０が、矢印Ｓ方向に直線スライド自在に収容されている。２枚のフィルタ２１、２２は、異なる光学特性を有するもので、例えば、一方が赤外カットフィルタ、他方が赤外カットフィルタと光路長を等しくするためのダミーフィルタで構成されている。
【００３１】
２枚のフィルタ２１、２２は、それぞれ露光用の開口部１の全面を覆う大きさのもので、フィルタ枠２０のスライドストロークは、各フィルタ２１、２２の中心を選択的に開口部１の中心１Ａに位置決めすることができる大きさ（即ち両フィルタ２１、２２の中心間距離）に設定されている。ハウジング１０には、スライド枠２０のストローク範囲（スライド限）を決めるためのストッパ１３Ａ、１３Ｂが設けられており、図１に示すように、スライド枠２０が一方のストッパ１３Ａに当たるまでスライドしたとき、一方のフィルタ２１の中心が開口部１の中心１Ａに位置決めされ、図３に示すように、スライド枠２０が他方のストッパ１３Ｂに当たるまでスライドしたとき、他方のフィルタ２２の中心が開口部１の中心１Ａに位置決めされるようになっている。
【００３２】
フィルタ枠２０には、２枚並んだフィルタ２１、２２の両側に位置させて、スライド方向に平行な２本のガイド溝２３が設けられており、これらガイド溝２３がハウジング１０の基板部１０Ａ上に突設した片側２本のガイドピン１２に嵌まっていることで、フィルタ枠２０が直線スライドできるようにガイドされている。また、フィルタ枠２０のスライド方向の一端部（作動部室１４側の端部）には、２枚のフィルタ２１、２２の中心を通る直線Ｌ１（フィルタ枠２０の幅方向の中心線）上に位置させて、駆動用の係合孔２４が設けられている。この係合孔２４は、フィルタ枠２０のスライド方向（矢印Ｓ方向）と直交する方向に長い長孔により構成されている。
【００３３】
一方、作動部室１４に収容された電磁アクチュエータＭは、ハウジング１０の一部と、ハウジング１０に突設された軸３１に支点部であるボス部３２が嵌合されることで、軸３１を支点Ｐ１として揺動自在に支持された出力レバー３０と、出力レバー３０の揺動軸線（軸３１の中心を通る線）と交差する回動軸線Ｌ２の回りに回動自在に支持された可動子５１を有し、可動子５１を囲繞するようにアクチュエータ室１５内に固定された空芯コイル５３への通電制御により可動子５１を回動させるアクチュエータ本体５０と、可動子５１と出力レバー３０の間に設けられ、可動子５１の矢印Ｙ方向の回動変位を出力レバー３０の揺動変位に変換して伝達する動作方向変換手段としての係合機構４０と、から構成されている。
【００３４】
出力レバー３０が揺動する平面（揺動平面）は、フィルタ枠２０のスライド方向と平行に設定されており、そのために、出力レバー３０を支持する前記軸３１は、フィルタ枠２０のスライド平面に対して直交する方向に突設されている。図５に示すように、出力レバー３０のボス部（支点部）３２は、出力レバー３０の基端部に配されており、出力レバー３０の先端部の上面には、被駆動側であるフィルタ枠２０へ向けて揺動出力を取り出す駆動ピン（出力取出部）３３が突設されている。
【００３５】
この場合、図５（ｂ）に示すように、出力レバー３０は、長さ方向の中間部に段部３０ｄを有しており、駆動ピン３３の高さの中間とボス部３２の高さの中間が、ほぼ同じ高さの直線Ｑ上に位置するようになっている。これは、ボス部３２を支点にして出力レバー３０が揺動し、駆動ピン３３により外部へ駆動力を伝達するときに、出力レバー３０にできるだけ捩り力が発生しないようにするためである。
【００３６】
そして、この駆動ピン３３が、フィルタ枠２０に力を及ぼす作用点Ｐ３として、フィルタ枠２０の係合孔２４に摺動可能に係合されている。これにより、フィルタ枠２０のスライド方向（矢印Ｓ方向）と、出力レバー３０の軸３１と駆動ピン３３とを結ぶ直線とが、図２に示すように、中立状態においてほぼ直交する関係に設定されている。また、出力レバー３０の下面には、ボス部３２と駆動ピン３３との間に位置させて、動作方向変換手段としての係合機構４０の一方の要素である係合ピン３４が突設されている。この係合ピン３４は、出力レバー３０にアクチュエータ本体５０からの力を入力する力点Ｐ２に相当する。
【００３７】
一方、アクチュエータ本体５０の可動子５１は、出力レバー３０の下側に、出力レバー３０の揺動平面と回動軸線Ｌ２を平行にして回動可能に配置されている。この可動子５１は、図４に示すように、両端に軸５８を突設した樹脂製の本体５１Ａに直方体形状の永久磁石５２を嵌め込んだもので、永久磁石５２は、可動子５１の回動軸線Ｌ２と直交する方向の両端に異なる磁極が表れるように着磁されている。空芯コイル５３は、可動子５１を取り囲む矩形状に形成されており、対向する直線部が永久磁石５２の磁極と対向している。
【００３８】
また、ハウジング１０のアクチュエータ室１５の底面には、空芯コイル５３への非通電時に、可動子５１に設けられた永久磁石５３を一定の回動位置に吸着する吸着片５４が設けられている。この吸着片５４は、永久磁石５３を組み込んだ可動子５１を、一方の回動端と他方の回動端に選択的に位置決めできるよう設けられており、空芯コイル５３への通電を切断した時の回動位置に近い側の回動端に永久磁石５２を吸着して保持する。
【００３９】
また、可動子５１の本体５１Ａの外周部には、図４に示すように、動作方向変換手段としての係合機構４０の他方の要素である係合枠５６が、アーム５５の先端に位置させて設けられている。この係合枠５６は、一対のピン５６ａ、５６ａの間に、出力レバー３０の係合ピン３４の遊嵌する係合凹部５６ｂを確保したコ字形のものであり、可動子５１が回動したときに、ピン５６ａ、５６ａ間に挟まれた係合ピン３４を、可動子５１の回動方向に変位させ、それにより出力レバー３０を揺動させる。
【００４０】
係合ピン３４と係合枠５６の係合の遊びは、係合枠５６が使用限界位置まで最大に回動したときにも、係合ピン３４と係合枠５６が無理に干渉しないようにするためのものであり、それを満足する限りにおいて最小の遊び量とするのが、ガタを少なくする上で望ましい。また、係合ピン３４の長さは、係合枠５６が使用限界位置まで最大に回動したときにも、係合枠５６から抜けない長さに設定しておく。
【００４１】
次に作用を説明する。
露光用の開口部１に位置決めするフィルタ２１、２２を切り替える場合は、図１の状態または図３の状態にする。即ち、空芯コイル５２への通電制御により、図１に示す方向に可動子５１を回動させると、可動子５１の回動変位が、係合機構４０を介して、出力レバー３０に揺動変位として伝達される。そして、出力レバー３０の駆動ピン３３の揺動により、フィルタ枠２０が一方側にスライドさせられ、一方のフィルタ２１が開口部１に位置決めされる。
【００４２】
また、図３に示す方向に可動子５１を回動させると、可動子５１の回動変位が、係合機構４０を介して、出力レバー３０に揺動変位として伝達される。そして、出力レバー３０の駆動ピン３３の揺動により、フィルタ枠２０が他方側にスライドさせられ、他方のフィルタ２１が開口部１に位置決めされる。
【００４３】
このフィルタ切替装置では、出力レバー３０の揺動軸線（軸３１）と可動子５１の回動軸線Ｌ２を交差する関係に設定しており、可動子５１の軸３１の向きが出力レバー３０の揺動面と平行な方向に向いているので、電磁アクチュエータＭを組み込んだ部分（作動部室１４）の高さ寸法Ｈ２（出力レバー３０の揺動面と直交する方向の寸法）をできるだけ小さくすることができる。従って、電磁アクチュエータＭを組み込んだ部分の薄型コンパクト化が可能となり、フィルタ切替装置の全高Ｈ１の低減が可能となる。
【００４４】
また、出力レバー３０の支点Ｐ１（軸３１）と駆動ピン３３（作用点Ｐ３）の間に、可動子５１の動作を出力レバー３０に伝達する係合機構４０（力点Ｐ２）を設けているので、可動子５１の変位を駆動ピン３３から拡大して取り出すことができる。つまり、可動子５１の変位が小さくても、出力レバー３０の揺動変位を大きく取り出すことができる。従って、取り出せる揺動変位の割にアクチュエータ本体５０の小型化が図れる。また、動作方向変換手段を係合機構４０で構成しているので、構造の単純化が図れる。
【００４５】
また、非通電時には、吸着片５４の働きにより、永久磁石５２、つまり可動子５１を定位置に保持するので、節電を図ることができる。
【００４６】
また、フィルタ枠２０を出力レバー３０の揺動平面と平行に直線スライド可能に設けているので、フィルタ枠２０のスライド方向と直交する方向、つまりカメラの光軸方向の寸法の短縮を図ることができる。また、フィルタ枠２０に形成された長孔（係合孔２４）に出力レバー３０の駆動ピン３３を係合させているので、簡単な構造でフィルタ枠２０のスライド動作を実現することができる。
【００４７】
なお、上記実施形態においては、電磁アクチュエータＭをフィルタ切替装置の駆動源として適用した場合を示したが、電磁アクチュエータＭは、露光用の開口部を羽根で開閉するシャッタ装置や、露光用の開口部の開度を羽根で絞り調節する絞り装置等の駆動源としても組み付けることができる。
【図面の簡単な説明】
【００４８】
【図１】本考案の揺動型の電磁アクチュエータを駆動源として組み込んだフィルタ切替装置（露光条件切替装置）の一方のフィルタ切り替え状態のときの構成図で、（ａ）は平面図、（ｂ）は側断面図である。
【図２】同装置のフィルタの切り替え途中の中立状態のときの構成図で、（ａ）は平面図、（ｂ）は側断面図である。
【図３】同装置の他方のフィルタ切り替え状態のときの構成図で、（ａ）は平面図、（ｂ）は側断面図である。
【図４】同装置の部品である可動子の構成図で、（ａ）は平面図、（ｂ）は（ａ）のＩＶｂ−ＩＶｂ矢視断面図、（ｃ）は（ｂ）のＩＶｃ−ＩＶｃ矢視図である。
【図５】同装置の部品である出力レバーの構成図で、（ａ）は平面図、（ｂ）は側面図である。
【符号の説明】
【００４９】
Ｍ  電磁アクチュエータ
１  開口部
１Ａ  開口中心
１０  ハウジング
１０Ａ  基板部
１１  フィルタ切替室
１２  ガイドピン
１３Ａ、１３Ｂ  ストッパ
１４  作動部室
１５  アクチュエータ室
１６  筒部
１９  取付部
２０  フィルタ枠
２１  フィルタ
２２  フィルタ
２３  ガイド溝
２４  係合孔
３０  出力レバー
３１  軸（支点Ｐ１）
３２  ボス部
３３  駆動ピン（作用点Ｐ３）
３４  係合ピン（力点Ｐ２）
４０  係合機構（動作方向変換手段）
５０  アクチュエータ本体
５１  可動子
５１Ａ  本体
５２  永久磁石
５３  空芯コイル
５４  吸着片
５５  アーム
５６  係合枠
５６ａ  ピン
５６ｂ  係合凹部
５８  軸
Ｌ２  回動軸線
【図１】
0003122024.tif 000003
【図２】
0003122024.tif 000004
【図３】
0003122024.tif 000005
【図４】
0003122024.tif 000006
【図５】
0003122024.tif 000007